(57)【特許請求の範囲】
【請求項１】
桟状のデッキボードの複数箇所に桁部を備え、隣り合った前記桁部同士の間がフォーク挿入孔になった樹脂パレットであって、各前記桁部が、前記樹脂パレットの上下全体に延びた桁部筒壁の内側に桟状の桁内補強壁を備えてなる樹脂パレットにおいて、
前記桁部筒壁内の上端寄り位置で前記桁内補強壁から下方に突出し、荷崩れ防止用のロープ又はベルトを掛止可能な掛止突部を備え、
前記桁内補強壁は、前記桁部筒壁と同じ高さの全高壁と、互いに対向した前記全高壁の上端部同士の間又は、互いに対向した前記桁部筒壁と前記全高壁の上端部同士の間に差し渡された架橋壁とを有し、前記掛止突部は、前記架橋壁の中央部から下方に突出し、
前記掛止突部を備えた前記架橋壁の中央部に一端部が接続される一方、他端部が別の架橋壁又は前記桁部筒壁又は前記全高壁に接続された架橋交差壁を、前記桁内補強壁として備えたことを特徴とする樹脂パレット。
【請求項２】
前記架橋交差壁の上面に、荷物の滑り止めのためのゴム部材を配置したことを特徴とする請求項１に記載の樹脂パレット。
【請求項３】
前記デッキボードには、帯板状をなしてその幅方向が上下方向を向くと共に上端面が前記デッキボードの上面を構成する一方、下端面が前記フォーク挿入孔の内側上面を構成する複数の帯板状桟壁が格子状に配置して備えられると共に、前記帯板状桟壁より幅狭な板状をなして下端面が前記フォーク挿入孔の内側上面より上方に位置したフック掛止用桟壁が、前記複数の帯板状桟壁の一部と平行に配置して備えられたことを特徴とする請求項１又は２に記載の樹脂パレット。
【発明の詳細な説明】
【技術分野】
【０００１】
本発明は、桟状のデッキボードの複数箇所に桁部を備え、隣り合った桁部同士の間がフォーク挿入孔になった樹脂パレットに関する。
【背景技術】
【０００２】
従来、この種の樹脂パレットとして、荷崩れ防止用のロープを引っ掛けるために、樹脂パレットの外側面の一部を構成する桁部の側面に矩形貫通孔を形成し、その矩形貫通孔の上縁部から側面孔内に掛止突部を突出させた構造のものが知られている（例えば、特許文献１参照）。
【先行技術文献】
【特許文献】
【０００３】
【特許文献１】特許４５７２８９９号公報（図１，図２，図８）
【発明の概要】
【発明が解決しようとする課題】
【０００４】
しかしながら、上記した従来の樹脂パレットでは、デッキボードの上面（デッキ面）に対して小さい荷物の場合は、荷物とロープとの間の遊びが大きくなって荷物がずれ易くなり、そのずれを抑えるためにロープのテンションを大きくすると、荷物が変形したり、掛止突部が破損するという問題が生じていた。
【０００５】
本発明は、上記事情に鑑みてなされたもので、デッキボードの上面に対して小さい荷物のロープやベルトによる固定を安定させることが可能な樹脂パレットの提供を目的とする。
【課題を解決するための手段】
【０００６】
上記目的を達成するためになされた請求項１の発明に係る樹脂パレットは、桟状のデッキボードの複数箇所に桁部を備え、隣り合った桁部同士の間がフォーク挿入孔になった樹脂パレットであって、各桁部が、樹脂パレットの上下全体に延びた桁部筒壁の内側に桟状の桁内補強壁を備えてなる樹脂パレットにおいて、桁部筒壁内の上端寄り位置で桁内補強壁から下方に突出し、荷崩れ防止用のロープ又はベルトを掛止可能な掛止突部を備え、桁内補強壁は、桁部筒壁と同じ高さの全高壁と、互いに対向した全高壁の上端部同士の間又は、互いに対向した桁部筒壁と全高壁の上端部同士の間に差し渡された架橋壁とを有し、掛止突部は、架橋壁の中央部から下方に突出し、掛止突部を備えた架橋壁の中央部に一端部が接続される一方、他端部が別の架橋壁又は桁部筒壁又は全高壁に接続された架橋交差壁を、桁内補強壁として備えたところに特徴を有する。
【０００９】
請求項２の発明は、請求項１に記載の樹脂パレットにおいて、架橋交差壁の上面に、荷物の滑り止めのためのゴム部材を配置したところに特徴を有する。
【００１０】
請求項３の発明は、請求項１又は２に記載の樹脂パレットにおいて、デッキボードには、帯板状をなしてその幅方向が上下方向を向くと共に上端面がデッキボードの上面を構成する一方、下端面がフォーク挿入孔の内側上面を構成する複数の帯板状桟壁が格子状に配置して備えられると共に、帯板状桟壁より幅狭な板状をなして下端面がフォーク挿入孔の内側上面より上方に位置したフック掛止用桟壁が、複数の帯板状桟壁の一部と平行に配置して備えられたところに特徴を有する。
【発明の効果】
【００１１】
［請求項１〜３の発明］
請求項１の樹脂パレットでは、ロープ又はベルトを掛止可能な掛止突部を桁部筒壁内に設けたことで、従来の樹脂パレットよりデッキボードの中央寄りに掛止突部を配置したので、デッキボードの上面に対して小さい荷物（複数の荷物の全体がデッキボードの上面より小さい場合も含む）のロープやベルトによる固定を安定させることできる。また、掛止突部を桁部筒壁内に配置したことで、他の樹脂パレットやフォークとの衝突から掛止突部を保護することもできる。
【００１２】
また、本発明によれば、桁部のうち桁部筒壁と全高壁は、共に樹脂パレットの上下全体に延びているので、下端部が床面又は地面に当接して支持され、全高壁以外の壁部に比べて強度が比較的高くなる。そして、掛止突部を備えた架橋壁を、全高壁の上端部同士の間又は、互いに対向した桁部筒壁と全高壁の上端部同士の間に配置したことで、架橋壁及び掛止突部の支持強度が高くなる。これに加え、掛止突部を備えた架橋壁の中央部が、別の架橋壁又は桁部筒壁又は全高壁に接続された架橋交差壁によって支持されているので、この点においても架橋壁及び掛止突部の支持強度が高くなる。また、掛止突部にロープを掛けて荷物をデッキボードの上面に押し付けると、架橋交差壁に最も強い押圧力がかかる。これに対し、請求項２の樹脂パレットでは、架橋交差壁の上面に、荷物の滑り止めのためのゴム部材を配置したので、高い滑り止め効果を奏する。
【００１３】
請求項３の樹脂パレットでは、デッキボードに複数の帯板状桟壁が格子状に配置して備えられている。そして、その帯板状桟壁の一部と平行に配置された板状のフック掛止用桟壁の下端面が、フォーク挿入孔の内側上面より上方に位置しているので、ロープやベルトの先端に備えたフックを、フック掛止用桟壁に引っ掛けて、それらロープ等により荷物を固定することができる。
【図面の簡単な説明】
【００１４】
【図１】本発明の一実施形態に係る樹脂パレットの斜視図
【図２】樹脂パレットの下面側の斜視図
【図３】樹脂パレットにおける短辺の中央と端部の桁部の斜視図
【図４】樹脂パレットにおける短辺の中央の桁部の下面側の斜視図
【図５】（Ａ）樹脂パレットにおける長辺の中央の桁部の斜視図，（Ｂ）その桁部の掛止突部にロープを掛止した状態の斜視図
【図６】樹脂パレットにおける長辺の中央の桁部の下面側の斜視図
【図７】（Ａ）樹脂パレットにおける短辺の中央の桁部の一部を破断した斜視図，（Ｂ）樹脂パレットにおける長辺の中央の桁部の一部を破断した斜視図
【図８】樹脂パレットの上面強化梁の切断面を示した斜視図
【図９】（Ａ）樹脂パレットにおける長辺の中央の桁部の斜視図，（Ｂ）樹脂パレットにおける長辺の中央の桁部の下面側の斜視図
【図１０】樹脂パレットに荷物を載せた状態の斜視図
【発明を実施するための形態】
【００１５】
以下、本発明の一実施形態を図１〜図１０に基づいて説明する。図１に示すように、本実施形態の樹脂パレット１０は、平面長方形のデッキボード１１における四隅を含む複数箇所に桁部２０を備え、それら桁部２０，２０同士の間がフォーク挿入孔１４になっている。また、樹脂パレット１０全体は、上下方向に開放した複数の網の目を有する桟構造になっている。なお、樹脂パレット１０は、縦横の何れの方向においても左右対称な形状になっている。
【００１６】
デッキボード１１には、その外縁部と縦横の中心線に沿った部位に、比較的強度が大きな上面強化梁１２が備えられ、デッキボード１１全体で上面強化梁１２が「田」の字形状になっている。そして、上面強化梁１２に囲まれた四角形の４つの領域がそれぞれ荷受盤１３にて塞がれている。
【００１７】
桁部２０は、デッキボード１１のうち上面強化梁１２同士の交差位置に配置されている。即ち、桁部２０は、デッキボード１１の四隅と、デッキボード１１の各外縁部における各中央部と、デッキボード１１の平面形状における図心との計９箇所に配置されている。また、縦横の何れかの方向で隣り合った桁部２０，２０の下端部の間には、下面強化梁１５が差し渡され、その下面強化梁１５も全体が「田」の字形状になっている。なお、下面強化梁１５に囲まれた四角形の４つの領域には、荷受盤１３に相当する構造体はなく、単なる空間になっている。
【００１８】
各桁部２０は、樹脂パレット１０の上下全体に延びた桁部筒壁２１の内側に桟状の桁内補強壁２２を備えた構造になっている。各桁部２０の桁部筒壁２１は、共に略角筒状をなし、桁部筒壁２１のうちフォーク挿入孔１４の内側面に相当する部分がフォーク挿入孔１４側に膨出するように湾曲している。
【００１９】
図２には、樹脂パレット１０を下面側から見た状態が示されている。同図に示すように、各桁部２０の桁内補強壁２２は、桁部筒壁２１と同じ高さの複数の全高壁２３と、全高壁２３，２３の上端部同士の間や桁部筒壁２１と全高壁２３の上端部同士の間に差し渡された複数の架橋壁２４と、全高壁２３，２３の下端部同士の間や桁部筒壁２１と全高壁２３の下端部同士の間に差し渡された底面壁２５とを有している。
【００２０】
図１に示すように、デッキボード１１の中央の桁部２０を除く全ての桁部２０の上面と各荷受盤１３の上面とには、滑り止め部６０が備えられている。滑り止め部６０は、図６に示すように桁内補強壁２２に一体形成された扁平円筒状のゴム受容部６０Ａ内に、図５（Ａ）に示したゴム部材６０Ｂを嵌め込み、そのゴム部材６０Ｂをデッキボード１１全体の上面より僅かに突出させた構造になっている。また、図２に示すように、デッキボード１１の四隅の桁部２０には、下面にも滑り止め部６０が備えられている。
【００２１】
さて、本実施形態の樹脂パレット１０には、荷崩れ防止用のロープ又はベルトを樹脂パレット１０に掛止するために、図１に示すように、桁外掛止突部５１と桁内掛止突部３０（本発明の「掛止突部」に相当する）とフック掛止用桟壁４０とが設けられている。
【００２２】
桁外掛止突部５１は、デッキボード１１の四隅に配置された桁部２０のうち樹脂パレット１０の外側面でもある１対の側面にそれぞれ１つずつ設けられている。それら桁部２０の１対の側面には、図３に示すように、桁部筒壁２１における上端寄り位置に略四角形の側面孔５０が貫通形成され、桁外掛止突部５１は、側面孔５０の上縁部から垂下されている。また、桁外掛止突部５１の下端部は矢尻形状をなし、その桁外掛止突部５１の外縁部及び側面孔５０の開口縁には突条５２が形成されて、補強されている。
【００２３】
図１に示すように、桁内掛止突部３０は、デッキボード１１における短辺の中央の桁部２０，２０内にそれぞれ３つずつと、長辺の中央の桁部２０，２０内に１つずつの計８つ設けられている。具体的には、図３に拡大して示すように、デッキボード１１における短辺の中央の桁部２０の全高壁２３は、その桁部２０内をデッキボード１１の短辺方向で略３等分する位置に配置された１対の第１全高壁２３Ａ，２３Ａと、桁部２０内をデッキボード１１の長辺方向で略２等分する位置に配置された第２全高壁２３Ｂとからなる。また、この桁部２０には、前記した架橋壁２４として、第２全高壁２３Ｂに対して外寄りの位置から対向した掛止支持架橋壁３１が設けられ、その掛止支持架橋壁３１が第１全高壁２３Ａ，２３Ａ同士の間と、一方の第１全高壁２３Ａと桁部筒壁２１との間と、他方の第１全高壁２３Ａと桁部筒壁２１との間とにそれぞれ差し渡されて一直線上に並んでいる。そして、各掛止支持架橋壁３１の下縁部の中央部から本発明に係る桁内掛止突部３０が垂下している。なお、掛止支持架橋壁３１の下縁部のうち桁内掛止突部３０の両側部分は、応力集中を防ぐために湾曲した形状になっている。
【００２４】
上記した各掛止支持架橋壁３１の上縁部の中央部と第２全高壁２３Ｂとの間には、本発明に係る架橋交差壁３２が差し渡されている。詳細には、３つの掛止支持架橋壁３１のうち両側の各掛止支持架橋壁３１に接続された架橋交差壁３２は、帯板状をなし、その幅方向がデッキボード１１の短辺方向を向いている。これに対し、中央の掛止支持架橋壁３１に接続された架橋交差壁３２は、中心軸が上下方向を向いた円板状をなし、その中央に上記した滑り止め部６０のゴム受容部６０Ａが一体形成されている。
【００２５】
図４に示すように、桁内掛止突部３０のうち第２全高壁２３Ｂとの対向面には、上下方向に延びた補強リブ３３が桁内掛止突部３０の幅方向の両端部と中央とに設けられている。それらのうち中央の補強リブ３３は、図７（Ａ）に示すように桁内掛止突部３０の下端から架橋交差壁３２の下面まで延びている。これに対し、両側の補強リブ３３，３３は、桁内掛止突部３０の下端から架橋交差壁３２の下面まで延びかつ、さらに架橋交差壁３２の下面に沿って第２全高壁２３Ｂまで延びている。
【００２６】
図５（Ａ）に示すように、デッキボード１１における長辺の中央の桁部２０の全高壁２３は、その桁部２０内をデッキボード１１の長辺方向で略３等分する位置に配置された１対の第１全高壁２３Ａ，２３Ａと、桁部２０のうち１対の第１全高壁２３Ａ，２３Ａによって区画された３部屋のうち両側の部屋をデッキボード１１の短辺方向で略２等分する位置に配置された１対の第２全高壁２３Ｂ，２３Ｂとからなる。また、この桁部２０には、第２全高壁２３Ｂ，２３Ｂの延長線上に配置されて、１対の第１全高壁２３Ａ，２３Ａの上端部間を連絡する掛止支持架橋壁３１が設けられ、その掛止支持架橋壁３１から桁内掛止突部３０が垂下されている。これら掛止支持架橋壁３１及び桁内掛止突部３０は、前記したデッキボード１１における短辺の中央の桁部２０に備えた掛止支持架橋壁３１及び桁内掛止突部３０と同じ形状をなしている。
【００２７】
前記したデッキボード１１における短辺の中央の桁部２０では、図３に示すように、掛止支持架橋壁３１の上縁部と第２全高壁２３Ｂとの間に架橋交差壁３２が差し渡されていたが、デッキボード１１における長辺の中央の桁部２０では、図５（Ａ）に示すように、掛止支持架橋壁３１の上縁部と桁部筒壁２１との間に架橋交差壁３４が差し渡されている。その架橋交差壁３４は、帯板状をなしかつ中間位置に、前記した滑り止め部６０のゴム受容部６０Ａが一体形成されている。
【００２８】
デッキボード１１における長辺の中央の桁部２０においても、図６に示すように桁内掛止突部３０のうち架橋交差壁３４側の下面には、上下方向に延びた補強リブ３３が桁内掛止突部３０の幅方向の両端部と中央とに設けられている。それらのうち中央の補強リブ３３は、桁内掛止突部３０の下端から架橋交差壁３４の下面まで延びている。これに対し、両側の補強リブ３３，３３は、図７（Ｂ）に示すように、桁内掛止突部３０の下端から架橋交差壁３４の下面まで延び、その架橋交差壁３４の下面に沿って桁部筒壁２１まで水平に延び、さらに、その桁部筒壁２１の下端部まで垂直に延びている。
【００２９】
なお、デッキボード１１における短辺及び長辺の何れの中央の桁部２０においても、桁内掛止突部３０及び掛止支持架橋壁３１さらには補強リブ３３における桁内掛止突部３０から突出した部分の肉厚は、全高壁２３や桁部筒壁２１等の肉厚に比べて厚くなっている（図６参照）。
【００３０】
図１に示すように、フック掛止用桟壁４０は、デッキボード１１の長辺と短辺に沿って延びた各上面強化梁１２における荷受盤１３側の縁部に設けられている。詳細には、図３に示すように、デッキボード１１の長辺と短辺に沿って延びた各上面強化梁１２は、フォーク挿入孔１４の貫通方向と直交する方向に延びた複数の第１帯板状桟壁１２Ａと、フォーク挿入孔１４の貫通方向に延びた複数の第２帯板状桟壁１２Ｂとを有した格子構造になっている。これら第１及び第２の帯板状桟壁１２Ａ，１２Ｂの幅方向は、共に上下方向を向いていて、第１及び第２の帯板状桟壁１２Ａ，１２Ｂの幅方向の一端面はデッキボード１１の上面の一部を構成し、第１及び第２の帯板状桟壁１２Ａ，１２Ｂの幅方向の他端面は、デッキボード１１の下面でもあると共にフォーク挿入孔１４の内側上面の一部を構成している。
【００３１】
上記した第１帯板状桟壁１２Ａ群のうち荷受盤１３側の１対の第１帯板状桟壁１２Ａ，１２Ａの間に並んだ複数の升目群における中央の２つの升目の内部にそれぞれフック掛止用桟壁４０が配置されている。そして、図４に示すように、各フック掛止用桟壁４０は、上記各升目において１対の第１帯板状桟壁１２Ａ，１２Ａの間の中央に位置して第１帯板状桟壁１２Ａと平行に延び、両端部が第２帯板状桟壁１２Ｂ，１２Ｂに接続されている。また、フック掛止用桟壁４０は、第１及び第２の帯板状桟壁１２Ａ，１２Ｂより幅狭で、フック掛止用桟壁４０の上端面は第１及び第２の帯板状桟壁１２Ａ，１２Ｂの上端面と面一になっている一方、フック掛止用桟壁４０の下端面は第１及び第２の帯板状桟壁１２Ａ，１２Ｂの下端面、即ち、フォーク挿入孔１４の内側上面より上方に陥没した位置に配置されている。
【００３２】
フック掛止用桟壁４０の下縁部の中央には、フック掛止用桟壁４０の下縁部全体より上方に陥没した下縁凹部４０Ａが形成されている。また、その下縁凹部４０Ａの両側部は、下方に向かって互いに離れるように傾斜した傾斜面４０Ｂ，４０Ｂになっている。そして、フック掛止用桟壁４０のうち１対の傾斜面４０Ｂ，４０Ｂより上側部分に１対の直交補強壁４１，４１が直交して、それら直交補強壁４１，４１の両端部が第１帯板状桟壁１２Ａ，１２Ａに接続されている。
【００３３】
なお、フック掛止用桟壁４０の肉厚は、第１及び第２の帯板状桟壁１２Ａ，１２Ｂの肉厚に比べて厚くなっている。また、上面強化梁１２の升目のうちフック掛止用桟壁４０を有した１対の升目の延長線上にある一方の升目には、その上面を塞ぐ蓋状補強板１２Ｄが備えられ、他方の升目には、その上面開口の縁部から内側に張り出した枠形補強リブ１２Ｅが備えられている。さらに、図８に示すように、フック掛止用桟壁４０を挟んで対向する１対の第１帯板状桟壁１２Ａ，１２Ａのうち一方の第１帯板状桟壁１２Ａの下縁部と他方の第１帯板状桟壁１２Ａの上縁部には、それぞれフック掛止用桟壁４０から離れる側に突出した補強リブ１２Ｃ，１２Ｃが備えられている。
【００３４】
本実施形態の樹脂パレット１０の構成に関する説明は以上である。次に、この樹脂パレット１０の作用効果について説明する。本実施形態の樹脂パレット１０では、図１０に示すように、桁部２０の上面の外側半分が露出する程度の荷物Ｗ又はそれより小さい荷物を積んだ場合には、樹脂パレット１０の桁部２０内に配置された桁内掛止突部３０にロープ９０を掛けてその荷崩れを防止することができる。具体的には、図５（Ｂ），図９（Ａ）及び図９（Ｂ）に示すように、例えば、ロープ９０の端部に設けたリング部９１を桁内掛止突部３０に下方から通して掛止したり、図示しないが、ロープ９０の中間部分を桁内掛止突部３０における補強リブ３３側に掛止したりして、ロープ９０にて荷物Ｗを樹脂パレット１０に押し付けて固定すればよい。
【００３５】
ここで、桁内掛止突部３０を支持する掛止支持架橋壁３１は、図３及び図５（Ａ）に示すように、桁部２０における桁部筒壁２１又は全高壁２３に支持されている。それら桁部筒壁２１及び全高壁２３は、共に樹脂パレット１０の上下全体に延びているので、下端部が床面又は地面に当接して支持され、全高壁２３以外の壁部に比べて強度が比較的高くなる。本実施形態では、このような全高壁２３，２３の上端部同士の間や、桁部筒壁２１と全高壁２３の上端部同士の間に掛止支持架橋壁３１が差し渡されているので、掛止支持架橋壁３１及び桁内掛止突部３０の支持強度が高くなっている。これに加え、桁内掛止突部３０を備えた掛止支持架橋壁３１の中央部は、桁部筒壁２１又は全高壁２３に接続された架橋交差壁３２，３４によっても支持されているので、この点においても掛止支持架橋壁３１及び桁内掛止突部３０の支持強度が高くなっている。
【００３６】
また、桁内掛止突部３０にロープ９０を掛けて荷物をデッキボード１１の上面に押し付けると、架橋交差壁３２，３４に最も強い押圧力がかかる。これに対し、本実施形態の樹脂パレット１０では、架橋交差壁３２，３４の上面に、滑り止め部６０を配置したので、高い滑り止め効果を奏する。
【００３７】
樹脂パレット１０に、桁部２０の上面全体が露出する程度の大きさの荷物やそれより小さい荷物を積んだ場合には、上記した桁内掛止突部３０にロープ９０を掛けて荷崩れを防止してもよいし、図９（Ａ）及び図９（Ｂ）に示したベルト９２を上面強化梁１２に備えたフック掛止用桟壁４０に掛けてその荷崩れを防止してもよい。具体的には、例えば、ベルト９２の先端に設けたフック９３をフック掛止用桟壁４０の下縁凹部４０Ａに掛止したり、ベルト９２の中間部を下縁凹部４０Ａの下方で折り返してフック掛止用桟壁４０に掛止したりして、ベルト９２て荷物を樹脂パレット１０に押し付けて固定してもよい。
【００３８】
なお、樹脂パレット１０に、桁部２０の上面全体が隠れる程度の荷物を積んだ場合には、樹脂パレット１０の桁外掛止突部５１にロープを掛けることで、従来の樹脂パレットと同様に荷物の荷崩れを防止することができる。
【００３９】
このように本実施形態の樹脂パレット１０では、ロープ９０やベルト９２を掛止可能な桁内掛止突部３０及びフック掛止用桟壁４０を、樹脂パレット１０の外側面よりデッキボード１１の中央寄りに配置したので、デッキボード１１の上面に対して小さい荷物（複数の荷物の全体がデッキボード１１の上面より小さい場合も含む）のロープ９０やベルト９２による固定を安定させることできる。また、桁内掛止突部３０を桁部筒壁２１内に配置したことで、他の樹脂パレット１０やフォークとの衝突から桁内掛止突部３０が保護されるという効果も奏する。
【００４０】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００４１】
（１）前記実施形態の樹脂パレット１０は、桁内掛止突部３０に加え、桁外掛止突部５１も備えていたが、桁外掛止突部５１を備えない構成としてもよい。
【００４２】
（２）本発明の技術的範囲には含まれないが、本発明に係る掛止突部を備えず、本発明に係るフック掛止用桟壁のみを樹脂パレットに設けても良い。例えば、前記実施形態の樹脂パレット１０から桁内掛止突部３０を排除し、フック掛止用桟壁４０で比較的小さい荷物を構成可能とした構成にしてもよい。
【符号の説明】
【００４３】
１０    樹脂パレット
１１    デッキボード
１２    上面強化梁
１２Ａ  第１帯板状桟壁
１２Ｂ  第２帯板状桟壁
２０    桁部
２１    桁部筒壁
２２    桁内補強壁
２３    全高壁
２３Ａ    第１全高壁
２３Ｂ    第２全高壁
２４    架橋壁
２５    底面壁
３０    桁内掛止突部
３１    掛止支持架橋壁
３２，３４    架橋交差壁
４０    フック掛止用桟壁
６０Ｂ    ゴム部材
９０    ロープ
９１    リング部
９２    ベルト
９３    フック
Ｗ    荷物
【図１】
0005773427.tif 000002
【図２】
0005773427.tif 000003
【図３】
0005773427.tif 000004
【図４】
0005773427.tif 000005
【図５】
0005773427.tif 000006
【図６】
0005773427.tif 000007
【図７】
0005773427.tif 000008
【図８】
0005773427.tif 000009
【図９】
0005773427.tif 000010
【図１０】
0005773427.tif 000011